(57)【要約】【課題】光学フィルム及び該光学フィルムを有するバックライトモジュール及び液晶ディスプレイを提供する。【解決手段】  本考案の光学フィルムは、導光板の入光面上に貼付され、且つ複数の側面光源を合わせ、バックライトモジュールを構成することに用いる。光学フィルム上に特殊な設計を経た微小構造を設け、複数の側面光源が発する光束を導光板内に屈折させることができる。導光板に混合後に発生する暗領域の面積を減少させ、ディスプレイの有効可視範囲を向上し、複数の側面光源の数量を減少し、コスト低減の目的を達成することができる。【選択図】図３
2013061611.tif 000002
【特許請求の範囲】
【請求項１】
導光板の入光面上に貼付され、且つ複数の側面光源の使用を組み合わせ可能である光学フィルムであり、該光学フィルムは、入射面及び射出面を有し、該入射面上に微小構造を設け、それぞれの該側面光源が発する光束を該入射面から該光学フィルム中に進入させることができ、該射出面は、該導光板の該入光面と相互に貼合し、該光束を該光学フィルムにより屈折された後に該導光板に入射させ、
該光学フィルム及び複数の側面光源が構成する構造は、少なくとも以下の関係式：
2013061611.tif 000023
に適合し、そのうち、Ｂは、２つの隣り合う側面光源の間隔距離であり、Ｃ’は、それぞれの隣り合う２つの側面光源の光束が屈折を経た後に該導光板に進入して形成する三角形状の暗領域の面積の最大高さ距離であり、θiは、該側面光源の光束が該入射面に進入する角度であり、θt(θi)は、該側面光源の光束が該射出面から離れ、該導光板内に進入する角度であり、nは、該導光板の屈折率であり、ntは、該光学フィルムの屈折率であることを特徴とする光学フィルム。
【請求項２】
前記入射面の該微小構造の幅深さ比データは、以下の関係式：
2013061611.tif 000024
に適合し、そのうち、Pは、該微小構造の幅であり、Hは、該微小構造の深さであり、更に、10°＜θt(θi)、及び2＜P/Hの条件に適合し、P値が20μm〜200μmの間に介する請求項１に記載の光学フィルム。
【請求項３】
前記入射面上の該微小構造は、連続的な半円状の微小構造、連続波浪状微小構造、拡散粒子を有する微小構造、又は不規則状な微小構造のうちの何れか１つであることができ、該光学フィルムの屈折率ntの値は、1.45〜1.65の間に介し、該側面光源は、複数のＬＥＤから構成される請求項１に記載の光学フィルム。
【請求項４】
入光面及び出光面を有し、該出光面及び該入光面が垂直である導光板と、
該入光面と相互に対応する位置に設置される複数の側面光源と、
入射面及び射出面を有する光学フィルムと、を含み、該入射面上に微小構造を設け、それぞれの該側面光源が発する光束を該入射面から該光学フィルム中に進入させることができ、該射出面は、該導光板の該入光面と相互に貼合し、該光束を該光学フィルムにより屈折された後に該導光板に入射させ、
該光学フィルム及び該複数の側面光源が構成する構造、及び該微小構造の幅深さ比のデータは、それぞれ以下の関係式：
2013061611.tif 000025
に適合し、そのうち、Ｂは、２つの隣り合う側面光源の間隔距離であり、Ｃ’は、それぞれの隣り合う２つの側面光源の光束が屈折を経た後に該導光板に進入して形成する三角形状の暗領域の面積の最大高さ距離であり、θiは、該側面光源の光束が該入射面に進入する角度であり、θt(θi)は、該側面光源の光束が該射出面から離れ、該導光板内に進入する角度であり、nは、該導光板の屈折率であり、ntは、該光学フィルムの屈折率であることを特徴とする光学フィルムを有するバックライトモジュール。
【請求項５】
前記入射面の該微小構造の幅深さ比データは、以下の関係式：
2013061611.tif 000026
に適合し、そのうち、Pは、該微小構造の幅であり、Hは、該微小構造の深さであり、更に、10°＜θt(θi)、及び2＜P/Hの条件に適合し、P値が20μm〜200μmの間に介し、前記入射面上の該微小構造は、連続的な半円状の微小構造、連続波浪状微小構造、拡散粒子を有する微小構造、又は不規則状な微小構造のうちの何れか１つであることができ、該光学フィルムの屈折率ntの値は、1.45〜1.65の間に介し、該側面光源は、複数のＬＥＤから構成される請求項４に記載のバックライトモジュール。
【請求項６】
入光面及び出光面を有し、該出光面及び該入光面が垂直である導光板と、
該入光面と相互に対応する位置に設置される複数の側面光源と、
該導光板の出光面に対応する液晶パネルと、
入射面及び射出面を有する光学フィルムと、を含み、該入射面上に微小構造を設け、それぞれの該側面光源が発する光束を該入射面から該光学フィルム中に進入させることができ、該射出面は、該導光板の該入光面と相互に貼合し、該光束を該光学フィルムにより屈折された後に該導光板に入射させ、
該光学フィルム及び該複数の側面光源が構成する構造、及び該微小構造の幅深さ比のデータは、それぞれ以下の関係式：
2013061611.tif 000027
に適合し、そのうち、Ｂは、２つの隣り合う側面光源の間隔距離であり、Ｃ’は、それぞれの隣り合う２つの側面光源の光束が屈折を経た後に該導光板に進入して形成する三角形状の暗領域の面積の最大高さ距離であり、θiは、該側面光源の光束が該入射面に進入する角度であり、θt(θi)は、該側面光源の光束が該射出面から離れ、該導光板内に進入する角度であり、nは、該導光板の屈折率であり、ntは、該光学フィルムの屈折率であることを特徴とする光学フィルムを有する液晶ディスプレイ。
【請求項７】
前記入射面の該微小構造の幅深さ比データは、以下の関係式：
2013061611.tif 000028
に適合し、そのうち、Pは、該微小構造の幅であり、Hは、該微小構造の深さであり、更に、10°＜θt(θi)、及び2＜P/Hの条件に適合し、P値が20μm〜200μmの間に介し、前記入射面上の該微小構造は、連続的な半円状の微小構造、連続波浪状微小構造、拡散粒子を有する微小構造、又は不規則状な微小構造のうちの何れか１つであることができ、該光学フィルムの屈折率ntの値は、1.45〜1.65の間に介し、該側面光源は、複数のＬＥＤから構成される請求項６に記載の液晶ディスプレイ。
【発明の詳細な説明】
【技術分野】
【０００１】
本発明は、光学フィルムに関し、導光板の入光面上に貼付され、且つ複数の側面光源に合わせて使用し、液晶ディスプレイ上に適用するバックライトモジュールを構成する光学フィルム、及び該光学フィルムを有するバックライトモジュール及び液晶ディスプレイに関する。
【背景技術】
【０００２】
液晶ディスプレイのバックライトモジュールについて述べれば、バックライトモジュール自身は、１つの二次元の面光源であり、ＬＥＤを利用し、現行のバックライトモジュール上に使用する冷陰極管（Cold cathode fluorescent amp，CCFL）に取って代えようとする場合、ＬＥＤ点光源の特性を面光源に変換する必要がある。従って、１つの適当な導光メカニズムが必要となり、例えば、側面光源式バックライトモジュール中に使用される導光板（Light Guide Plate，LGP）等であり、それは、光源の特性を変換することに用いることができ、１つの均一な面光源を生成し、液晶ディスプレイに使用させることができる。
【０００３】
バックライトモジュールの構造は、主に光源、導光板、プリズムレンズ、拡散板及び反射板等を有する。そのうち、バックライトモジュールが使用する光源は、主に２種に分けられる：１つは、ＣＣＦＬであり、もう１つは、ＬＥＤである。光源位置の違いにより、一般には、側面光源式（Side Lighting)及び直下式（Bottom Lighting）の２種に分けることができる。側面光源式バックライトモジュールは、光源をモジュールの近傍側面に置くことを示し、導光板により光線を正面直視方向に誘導し、十分な均一性を達成する。
【０００４】
導光板は、液晶ディスプレイのバックライトモジュール中の光導引媒体である。側面光源式バックライトモジュールを例とし、導光板により光線を導引し、液晶ディスプレイから正面に射出し、パネルの輝度を均一に制御することができる。導光板の原理は、光線を利用し、導光板に進入後に光反射を発生させ、導光板の一側の特定構造を利用し、反射光を導光板正面に導引することができるというものである。また、正面に射出する光線以外に、幾つかの光線は、導光板底部の反射板により再度導光板に導入される。
【０００５】
従来のバックライトモジュール９は、以下を含む：導光板９１と、複数のＬＥＤ側面光源９２と、を含む。図１、図２を参照し、従来の複数のＬＥＤ側面光源９２は、導光板９１の一側に設置される。それぞれの該ＬＥＤ側面光源９２が投射する光束は、該光束が導光板９１に進入する前か後かにより、入射光９２１及び屈折光９２２に分けることができる。２つの隣り合うＬＥＤ側面光源９２は、光束を該導光板９１内に投射し、混合を経た後、該導光板９１上に光束に覆われていない暗領域９２３（光束９２２により投射されていない領域）を形成する。いわゆる暗領域９２３は、導光板９１の出光面（即ち、導光板９１の上表面）から見て特に暗い領域（即ち、ホットスポット蛍現象）を呈するものである。該暗領域９２３がディスプレイイメージが良好でない要因を作り出すことを回避する為、一般に、該ＬＥＤディスプレイパネルのバックライトモジュール９のイメージを表示することに用いることができる範囲は、この暗領域９２３を避ける必要があり、例えば、非透光な辺枠によりこれら暗領域９２３を遮蔽する。言い換えれば、ＬＥＤディスプレイパネルは、実際上の表示有効範囲９２４の面積は、導光板９１の出光面（即ち、導光板９１の上表面）の面積より小さくなり、ディスプレイパネルの表示有効範囲９２４の寸法を小さくし、改善の余地を有する。
【０００６】
図２を参照し、下表一を参考にし、従来のＬＥＤディスプレイパネルのバックライトモジュール９は、各種の異なるＬＥＤ側面光源９２の該入射光９２１の角度（入射角）に基づき、該屈折率がｎ=1.55の導光板９１内に呈現される各種の異なる該屈折光９２２の角度（屈折角）は、下表１のように列記されることができる：
【０００７】
2013061611.tif 000003
【０００８】
そのうち、Ａは、２つの隣り合うLED側面光源中心点の距離であり、Ｂは、２つの隣り合うＬＥＤ側面光源の間の距離であり、ｔは、ＬＥＤ側面光源から該導光板の入光面までの距離であり、入射角（θ°）は、ＬＥＤ側面光源の該入射光９２１は、該導光板９１の入光面９１１の角度であり、屈折角（θ’°）は、ＬＥＤ側面光源９２の該屈折光９２２が該導光板９１内に進入して屈折する角度であり、Ｃ値は、それぞれの２つの隣り合うＬＥＤ側面光源９２の該屈折光９２２が屈折を経た後に導光板９１内に進入し、混光を経た後に形成する略三角状の暗領域９２３の面積が最も大きくなる高さの距離である。
【０００９】
表一に示すように、実際にＣ値の大きさは、該暗領域９２３を形成する面積の大きさを表し、即ち、ホットスポット現象（蛍現象）の難易度を表す。但し、Ｃ値は、隣り合う２つのＬＥＤ側面光源９２の間隔Ｂ及び隣り合う２つのＬＥＤ側面光源９２が投射する光束が混合を経た後に作り出す結果のパラメータであり、依然として以下の幾何光学数学式により計算することができる：
Ｂ/2=t*sin(θ入射角)+Ｃ*sin(θ屈折角)であり、下記の結論を得る：
（1）該ＬＥＤ側面光源９２がサンプリングする異なる該入射光９２１の入射角度（40°、50°、60°、70°）及び現有のＬＥＤ側面光源を使用するバックライトモジュールの実品を取り、その実際の観測数値Ｃを観察し、比較し、該ＬＥＤ側面光源９２の該入射光９２１が入射角度６０°である時、その計算して得られる数値Ｃ＝５ｍｍを得ることができ、現有のＬＥＤ側面光源を使用するバックライトモジュールの実品の暗領域の高さＣ値に適合する。言い換えれば、現在の現有のＬＥＤ側面光源を使用したバックライトモジュールの実品は、その光束の屈折した光経路は、入射光９２１の入射角度が６０°である時の幾何学光学関係に適合する。
（2）Ｂ／Ａが表す該ＬＥＤ側面光源９２の発光範囲は、パッケージの大きさと関連する（例えば、５０/３０、３０/２０等）。
【先行技術文献】
【特許文献】
【００１０】
【特許文献１】特開２０１０−２５０９８７
【特許文献２】特開２０１１−１０００３７
【発明の概要】
【発明が解決しようとする課題】
【００１１】
本発明の目的は、光学フィルム及び光学フィルムを有するバックライトモジュール及び液晶ディスプレイを提供することにあり、特に、導光板に貼付する入光面上において、該入光面上の対応する複数の側面光源が投射する光束が該導光板内に進入して混合後に発生する暗領域の面積を減少させ、ディスプレイの有効可視範囲を向上する効果を達成することにある。
【００１２】
本発明のもう１つの目的は、光学フィルム及び光学フィルムを有するバックライトモジュール及び液晶ディスプレイを提供し、光学フィルム上に適当な構造形状の複数の微小構造を設置し、該側面光源が該導光板内に投射進入する光束の拡散角度を増加させ、更に、該側面光源の数量を減少させ、コストを低減する目的を達成することにある。
【課題を解決するための手段】
【００１３】
上記の目的を達成する為、本発明が開示する光学フィルムは、導光板の入光面上に貼付され、且つ複数の側面光源の使用を組み合わせ、それは、入射面及び射出面を定義し、該入射面上に微小構造を設け、該側面光源が発する光束を該入射面から該光学フィルム中に進入させることができ、該射出面は、該導光板の該入光面と相互に貼合し、該光学フィルム内の該光束を該導光板内に屈折させることができる。
【００１４】
該光学フィルム及び複数の側面光源が構成するバックライトモジュール構造は、少なくとも以下の関係式に適合する：
2013061611.tif 000004
そのうち、Ｂは、２つの隣り合う側面光源の間隔距離であり、Ｃ’は、それぞれの隣り合う２つの側面光源の光束が屈折を経た後に該導光板に進入して形成する三角形状の暗領域の面積の最大高さ距離であり、θiは、該側面光源の光束が該入射面に進入する角度であり、θt(θi)は、該側面光源の光束が該射出面から離れ、該導光板内に進入する角度であり、nは、該導光板の屈折率であり、ntは、該光学フィルムの屈折率である。
【００１５】
好適実施例において、該入射面の微小構造の幅深さ比（Ｐ/Ｈ）のデータは、少なくとも以下の関係式に適合する：
2013061611.tif 000005
そのうち、Pは、該微小構造の幅、Hは、該微小構造の深さである。
【００１６】
好適実施例において、該光学フィルムは、更に、少なくとも以下の条件に適合する：10°＜θt(θi)、以及2＜P/H。
【発明の効果】
【００１７】
本発明は、光学フィルム及び光学フィルムを有するバックライトモジュール及び液晶ディスプレイを提供し、特に、導光板に貼付する入光面上において、該入光面上の対応する複数の側面光源が投射する光束が該導光板内に進入して混合後に発生する暗領域の面積を減少させ、ディスプレイの有効可視範囲を向上する効果を達成する。
【図面の簡単な説明】
【００１８】
【図１】従来のＬＥＤディスプレイパネルのバックライトモジュールの説明図である。
【図２】従来のＬＥＤディスプレイパネルの導光板及びＬＥＤ側面光源の投射経路図である。
【図３】本発明の光学フィルムの実施状態説明図である。
【図４】従来のＬＥＤ側面光源が投射する光束が導光板内に進入する正方向の光経路の説明図である。
【図５】従来のＬＥＤ側面光源が投射する光束が導光板内に進入する逆方向の光経路の説明図である。
【図６】本発明の光学フィルムを貼付した導光板のＬＥＤ側面光源が投射する光束が導光板内に進入する傾斜方向の光経路の説明図である。
【図７】本発明の光学フィルムの好適実施例１〜６の入射角及び屈折角の関係の対応傾向図である。
【図８】本発明の光学フィルムを貼付した導光板内でのＬＥＤ側面光源の屈折の説明図である。
【図９】本発明の光学フィルムのＬＥＤ側面光源の入射角６０度以下の２つのＬＥＤ側面光源の間隔Ｂ及び屈折角θt(60)のそれぞれ異なるＣ’値における対応関係傾向曲線図である。
【図１０】本発明の光学フィルム上の微小構造のＬＥＤ側面光源の屈折の説明図である。
【図１１】本発明の光学フィルムの微小構造の幅深さ比P/H値が大き過ぎ、光経路に偏りを発生する説明図である。
【図１２】本発明の光学フィルムのＬＥＤ側面光源の入射角0度における屈折角θt(0)及び微小構造の幅深さ比P/H値のそれぞれ異なる光学フィルムの屈折率nt上における対応関係傾向曲線図である。
【図１３】本発明の光学フィルム上の微小構造実施例の説明図である。
【図１４】本発明の光学フィルム上の微小構造実施例の説明図である。
【図１５】本発明の光学フィルム上の微小構造実施例の説明図である。
【図１６】本発明の光学フィルムを貼付していない導光板及び本発明の光学フィルムを貼付した各組の導光板の異なるパラメータにおける光学効果比較図である。
【図１７】それぞれ本発明の光学フィルムが構成するバックライトモジュールの実施例である。
【図１８】それぞれ本発明の光学フィルムが構成するバックライトモジュールの実施例である。
【図１９】それぞれ本発明の光学フィルムが構成するバックライトモジュールの実施例である。
【図２０】それぞれ本発明の光学フィルムが構成するバックライトモジュールの実施例である。
【発明を実施するための形態】
【００１９】
本発明の上記目的及びその構造及び機能上の特性について、図面に基づく実施例を挙げ以下に説明する。
【００２０】
図３に示すように、本発明の光学フィルムの実施状態の説明図である。本発明の光学フィルム１であり、特に、微小構造を設置し、光線を屈折させることができる透光貼膜を指し、導光板２の入光面２１上に貼付され、且つ複数の光源３に合わせ、更に液晶ディスプレイ上に使用させることができるバックライトモジュール１００を構成する。該導光板２は、該入光面２１及び出光面を有し、該出光面は、該導光板２の上表面であり、該入光面２１と相互に垂直である。且つ該複数の側面光源３は、該入光面２１と相対し、且つ所定距離を隔てた位置に設置される。該光学フィルム１は、光束の入射面１１及び射出面１２を定義する。そのうち、該入射面１１上に微小構造１１１を設け、該側面光源３が発する光束３１を該入射面１１から該光学フィルム１中に進入させることができる。該射出面１２は、該導光板２の該入光面２１と相互に貼合し、該光学フィルム１内の該光束３１を屈折後に該導光板２内に再入射することができる。
【００２１】
本発明の実施例において、該複数の光源３は、複数のＬＥＤから構成されるＬＥＤ側面光源３（以下ＬＥＤ側面光源と称する）であり、且つ該導光板２の該入光面２１と相互に対応する。該光学フィルム１は、該ＬＥＤ側面光源３が投射する該光束３１を屈折後に該導光板２内に再進入させる。それぞれの該ＬＥＤ側面光源３が投射する該光束３１は、該光束３１が導光板２に進入する前か後かに基づいて入射光３１１及び屈折光３１２に区分できる。
【００２２】
隣り合う２つのＬＥＤ側面光源３は、該光束３１を該光学フィルム１に介して該導光板２内に投射し、混合を経た後、該導光板２上に該光束３１に覆われない暗領域８を形成し、その面積は、該光学フィルム１を貼付していない該暗領域９２３（図１参照の面積比）の面積に比較し、縮小してなり、比較的大きな表示有効範囲を達成する。該光学フィルム１の該入射面１１上の該微小構造１１１は、連続的な半円柱状の微小構造、連続波状美微小構造、拡散粒子を有する構造、又は不規則な微小構造のうちの何れか１つである。本発明の該光学フィルム１の屈折率ntのより好適な範囲値は、１．４５〜１．６５の間に介することが好ましい。
【００２３】
関連所定数値（例えば、導光板屈折率n=1.55、光学フィルム屈折率nt=1.62）により数学的計算を経た後、本発明の光学フィルム１は、以下の関係式に適合することが好ましい：
2013061611.tif 000006
そのうち、Ｂは、隣り合う２つの側面光源の間隔距離であり、
Ｃ’は、それぞれの隣り合う２つの側面光源の光束が屈折後に該導光板内に進入し、形成する暗領域の最大高さの距離であり、
θiは、該側面光源の光束（入射光）の該入射面に進入する角度（入射角）；
θt(θi)は、該側面光源の光束（屈折光）が該射出面から該導光板内に進入する角度（屈折角）であり、即ち、入射角(θi)において、該入射光が屈折する最大屈折角度であり、
Nは、該導光板の屈折率であり、
Ntは、該光学フィルムの屈折率である。
【００２４】
図３及び表１を参考にし、本発明の光学フィルム１の好適実施例において、同様に、屈折率n=1.55の該導光板２を例とし、且該ＬＥＤ側面光源３の該入射光３１２の角度が60°である時（θi=60°）、該導光板２の該入光面２１において屈折率nt=1.62の本発明の光学フィルム１の該入射光３１１と該屈折光３１２及び本発明の光学フィルム１を貼付していない該ＬＥＤ側面光源３の屈折光束（図１の従来技術の同一条件での該入射光９２１及び屈折光９２２と同一であるので、では、点線で表示する）の比較から分かるように、該導光板２の該入光面２１上に本発明の光学フィルム１を貼付後、該屈折光３１２が該導光板２に入射後の屈折角度がθt(60)＞40°であり、本発明の光学フィルム１を貼付してない該導光板２の屈折角度がθ’=34°である(表１参照)。
【００２５】
このことから分かるように、本発明の光学フィルム１の屈折後の該屈折光３１２は、受来技術の屈折光９２２が呈現する屈折角度より増加し、該暗領域８のＣ’値の範囲は、縮小し、ホットスポット現象（蛍現象）を解決することができる。本発明が提示する該光学フィルム１が発生する光屈折角度θt(θi)が以下の関係式に適合する時、本発明の該ＬＥＤ側面光源３の該入射光３１２の角度が60°（θi=60°）であり、本発明のバックライトモジュールは、従来技術に相対してより小さい暗領域８の範囲を獲得することができる：
2013061611.tif 000007
また、本発明の該光学フィルム１の構造の幅深さ比 が(P/H)であり、且つ該ＬＥＤ側面光源３の該入射光３１２の角度が0°（θi=0°）である時、以下の式にも適合する必要がある： 
2013061611.tif 000008
【００２６】
本発明の前記２つの関係式を具体的に説明する。
図４、図５、図６を参照する。そのうち、図４、図５は、それぞれ従来技術のＬＥＤ側面光源が投射する光束が導光板内に進入する正方向光経路及び傾斜方向の光経路の説明図である。図６は、本発明の光学フィルムを貼付した導光板のＬＥＤ側面光源が投射する光束が導光板内に進入する傾斜方向光経路の説明図である。
【００２７】
図４、図５、図６に示すように、X-Y-Z座標軸を定義し、該ＬＥＤ側面光源９２、３は、それぞれ該入光面９１１、２１を経由し、導光板９１、２内に入り、且つ幾何光学の内部全反射定理の原理(Total Internal Reflection, TIR)に基づき、光束を遠く離れる側へ伝達する。該光束が該導光板９１、２内の光取得構造７（プリントドット、微小構造、V溝、プリズム片又は反射面等）に達し、光束を上方向へ面光源に導出する。該ＬＥＤ側面光源９２、３の発光角度がランバート(Lambertian)光源分布形態に近似し、該導光板９１，２内に位置する該屈折光９２２、３１２のZ軸から離れる角度（法線0°方向）＜±60を主な拡散範囲とする（図４、図５、図６のそれぞれの斜線領域）。
【００２８】
上記に定義するX-Z平面上において、該導光板９１、２内の該屈折光９２２、３１２の光経路は、それぞれ図４の正方向の光経路及び図５及び図６の傾斜方向の光経路であり、図６の該導光板２の該入光面21において、本発明の該光学フィルム１を貼付し、該光学フィルム１は、傾斜方向の光経路の全反射(Total Internal Reflection, TIR)が発生する光取得の目的を壊し、２つの隣り合うＬＥＤ側面光源３間の光取得量を増加させ、即ち、該暗領域８の面積が縮小し、Ｃ値が縮小する。
【００２９】
図７及び表２を参照し、図６は、本発明の光学フィルムの好適実施例の１〜６のそれぞれの入射角及び屈折角の関係対応傾向図である。表２は、本発明の光学フィルムの好適実施例１〜６の１ａ〜１ｆの該導光板２及び本発明の光学フィルムを貼付していない実施例１xのそれぞれのＬＥＤ側面光源３が投射する光束の入射角０度及び６０度（θi=0°及びθi=60°）でそれぞれ発生する屈折角θt(0)であり、屈折角θt(60)の測定データ表である。そのうち、本発明の光学フィルム１のそれぞれの実施例１〜６(それぞれ曲線1a〜1fが実施例１〜６を表示)は、入射角θi=0°、10°、20°、30°、40°、50°、60°、70°、80°によりなす屈折角θt(θi)の傾向図（図６）により表２内の対応するデータを得ることができる。
【００３０】
表２は、本発明の光学フィルムの好適実施例１〜６の測定データであり、以下のとおりである（単位：度）：
2013061611.tif 000009
【００３１】
例えば、現行の一般のディスプレイパネルに常用するＬＥＤ側面光源３の規格（入射光張角≦60度）を例とし、その入射角θiが60度であり、且つ該暗領域８のＣ’値が5mmである時、本発明の光学フィルムの実施例１の1aの該屈折角θt(60)が80度であり、且つ該入射角θiが0度である時、該屈折角θt(0)が30度である。更に分かるように、本発明の光学フィルム１を貼付した該導光板２（実施例1a）及び該光学フィルム１を貼付しない該導光板２（実施例1x）の両者を比較し、該ＬＥＤ側面光源３の入射角θiが0度である時、その両者の屈折角θt(0)の相互の差が２０度である。該ＬＥＤ側面光源３の入射角θiが60度である時、その両者の屈折角θt(60)の相互の差が46度以上である。
【００３２】
従って、本発明の光学フィルム１を貼付した該導光板２（実施例1a）の該屈折角θiは、該ＬＥＤ側面光源３の入射角θiが0度又は60度であるかを問わず、該屈折角θtの角度は、何れも本発明の光学フィルム１を貼付していない（実施例1x）該屈折角θtより大きくなり、該暗領域８の面積がより小さくなる。
【００３３】
図８、図９を参照する。図８は、本発明の光学フィルムを貼付した導光板内でＬＥＤ側面光源の屈折を経る説明図である。図９は、本発明の光学フィルムの入射角６０度における隣り合う２つのＬＥＤ側面光源の間隔距離Ｂ及び屈折角θt(60)のそれぞれ異なるＣ’値における対応関係傾向曲線図である。
【００３４】
即ち、本発明の光学フィルム１は、傾斜幾何光学分析に基づき、該ＬＥＤ側面光源３の角度の入射角(θi = 60)を経た屈折角θt及び隣り合う２つのＬＥＤ側面光源３の間隔距離Ｂが発生する該暗領域8のＣ’値は、以下の関係式に適合する：
2013061611.tif 000010
従って、上式から推出できるように、tan(θt(θi))値が下式の範囲内に適合する前提において、相対して小さいＣ’値を得ることができ、即ち、暗領域の最適化の効果を達成する：
2013061611.tif 000011
続いて、前式から更に下式を推出することができる：
2013061611.tif 000012
【００３５】
本発明において、tan(θt(θi))値は、
2013061611.tif 000013
値より小さくなければならず、そうでなければ、光学フィルム１及び導光板２の両者の接触面間に光束が導光板２に進入できないことが発生する恐れがある。本発明において、Ｂ値が既知である状況において、光学フィルム１上の微小構造１１１の幅深さ比（P/H）値又は光学フィルム１及び導光板２の間の屈折率の差値を適当に設計することにより、該tan(θt(θi))値を上式の範囲に適合させるよう調整できる。
【００３６】
上記関係式から分かるように、該導光板２の該入光面２１上に該光学フィルム１を貼付した後、該ＬＥＤ側面光源３が混合後に発生する該暗領域８を作り出し、そのうち、該暗領域８のＣ’値の変化は、２つのＬＥＤ側面光源３の間隔距離Ｂ及び該屈折角θtと関係する。言い換えれば、異なる２つのＬＥＤ側面光源３の間隔距離Ｂにおいて、該光学フィルム１の最小の屈折角θtを設計する。図８に示すように、該暗領域８のＣ’値は、４組の異なる距離1mm、2mm、3mm、5mmの傾向曲線を設け、２つのＬＥＤ側面光源３の間隔距離Ｂ及び該屈折角θtが対応関係を呈現する。
【００３７】
例えば、現行の一般的で実際にディスプレイパネルに常用する該ＬＥＤ側面光源３の規格（入射光張角θi≦60）であり、該暗領域８のＣ’値が3mmである傾向曲線を基準とし２つのデータパラメータを対応して有する：
（1）２つのＬＥＤ側面光源３の間隔距離Ｂが9mmである時に対応する該屈折角θt(60)が50度であり、表２の該光学フィルム１を貼付していない該導光板２（実施例1x）の該屈折角θt(60)３４度に比べて16度大きく、光学フィルムを貼付していない暗領域Ｃ値を計算し、約5.4mmであり、Ｃ’値を低減しており、即ち、該暗領域８の面積を減少しており、
（2）の隣り合う２つのＬＥＤ側面光源３の間隔距離Ｂが12mmである時に対応する該屈折角θt(60)が60度であり、表２の該光学フィルム1を貼付していない該導光板２（実施例1x）の該屈折角θt(60)が低減する34度に比較し、26度大きくなっている。
【００３８】
上記データは、本発明の光学フィルム１は、該ＬＥＤ側面光源３の混合により発生する該暗領域８の面積を効率的に低減す、且つ該Ｃ’値が3mmである傾向曲線が対応する２つの隣り合うＬＥＤ側面光源３の間隔距離Ｂに基づき、２つの隣り合うＬＥＤ側面光源３の距離を調整することができ、Ｃ’値を低減するだけでなく、同時に該暗領域８の面積を減少し、図１の従来技術の該光学フィルム１を貼付していないものが必要とするＬＥＤ側面光源９１の数量に比較して減少する目的を達成する。但し、該光学フィルム１及び該導光板２材料の間に全反射を発生する状況の発生を防止する為、該屈折角θt(θi)が全反射の現象回避する臨界角度は、下記式に適合していなければならない：
2013061611.tif 000014
即ち、上記の屈折角θt(θi)の関係式は、過度に大きな角度の屈折角θt(θi)を設計することを回避し、該ＬＥＤ側面光源３が投射する該光束３１の光学フィルム１及び導光板２の両者の接触面間に全反射を発生し、光束が導光板２に進入できない現象を回避する。
【００３９】
図１０、図１１、図１２を参照する。図１０は、本発明の光学フィルム上の微小構造のＬＥＤ側面光源の屈折を経る説明図である。図１１は、本発明の光学フィルム上の微小構造の幅深さ比P/H値が過度に大きく、光経路に偏りを発生する説明図である。図１１は、本発明の光学膜のＬＥＤ側面光源の入射角0度での屈折角θt(0)及び微小構造の幅深さ比P/H値は、それぞれ異なる光学フィルムの屈折率ntにおける対応関係傾向曲線図である。
【００４０】
図９に示すように、そのうち、該ＬＥＤ側面光源３の0度の入射角θiの光束３１が該導光板２内に投射後に屈折する該屈折角θt(0)も該暗領域8のＣ’値の大きさに影響を及ぼすパラメータである。幾何光学の分析に基づき、該屈折角θt(0)及び該光学フィルム１の該入射面１１上に設ける該微小構造１１１の深さHは関連し、且つ本発明の光学フィルム１上に設ける該微小構造１１１は、連続的な略半円柱状の微小構造であり、且つ該微小構造１１１の幅深さ比（P/H）のデータは、下記関係式に適合することが好ましい：
2013061611.tif 000015
そのうち、Pは該微小構造１１１の幅であり、Hは、該微小構造１１１の深さである。好適実施例において、P値は、20μm〜200μmの間に介することが好適である。
【００４１】
図１０に示すように、該光学フィルム１上の該微小構造１１１の表面構造P/H値＜2である時、該微小構造１１１の構造の深さHが過度に大きく、該ＬＥＤ側面光源３が投射する該光束３１の経路が偏り、導光板に進入できない現象を招く。従って、該光学フィルム１の該微小構造１１１は、更に、少なくとも以下の条件に適合する：
（1） 幅深さ比P/H＞2；
（2） 屈折角θt(0)＞10 度。
【００４２】
図１１に示すように、そのうち、該ＬＥＤ側面光源３が投射する該光束３１の入射角θiが0度で該導光板２内に進入する屈折角θt(0)及び該微小構造１１１の幅深さ比P/H値は、それぞれ光学フィルムの屈折率ntが1.49、1.55、1.62である三組の異なる光学フィルム１との対応関係から分かるように、幅深さ比P/Hが２より大きいという条件に適合し、光経路の偏りを回避しなければならず、且つ該光学フィルム１を貼付しない時の屈折角θt(0)＞10 度（表２参照）の制限の状況において、三組の異なる屈折率ntが1.49、1.55、1.62である該光学フィルム１から構成される曲線の最適領域範囲Wより大きくなければならず、即ち、該微小構造１１１の幅深さ比P/H値が固定であれば、該光学フィルム１の材料の屈折率(nt)が高いほど、該光束３１の該屈折光３１２が該導光板２に入り形成する該屈折角θt(0)も大きくなり、相対して該暗領域８を形成する面積も小さくなり、Ｃ’値の距離も相対して小さくなり、ホットスポット現象の効果の改善も良好になる。言い換えれば、隣り合う２つのＬＥＤ側面光源３の間隔距離Ｂ値が既知である状況において、光学フィルム１上の微小構造１１１の幅深さ比（P/H）値を変化させるか、光学フィルム１及び導光板２の間の屈折率の差値を変化させることにより、Ｃ’値の距離を相対して小さくすることができる。
【００４３】
図１３〜図１５を参照し、それは、それぞれ本発明の光学フィルム上の微小構造の若干の実施例の説明図である。そのうち、該光学フィルム１の該入射面１１上において、図１３に示す連続波浪状の微小構造１１１ａであることができ、図１４に示す拡散粒子を有する微小構造１１１ｂであるか、図１５に示す不規則状又は糸状の微小構造１１１ｃであることもできる。上記図１３〜図１５の光学フィルム１の連続波浪状の微小構造１１１ａ、拡散粒子の微小構造１１１ｂ、及び不規則状又は糸状の微小構造１１１ｃも同様に図１０に示すような該微小構造１１１の条件、即ち、（1） 幅深さ比P/H＞2；（2） 屈折角θt(0)＞10 度を満足する必要がある。
【００４４】
図１６を参照し、それは、本発明の光学フィルムを貼付していない導光板の実施例及び本発明の光学フィルムを貼付した各組の導光板の実施例の異なるバックライトモジュールのパラメータにおける光学効果の比較表である。そのうち、各組の実施例の光学フィルムが含むパラメータのＬＥＤ間隔は、θt(0)、θt(60)、P/Hであり、それぞれ三組のＢ?(Ｂ=5 mm、Ｂ=10 mm、Ｂ=14 mm)において発生する暗領域の範囲Ｃ’(Ｃ’=3 mm、Ｃ’=5mm)を測定する。
【００４５】
図１６に示すように、実施例#1は、本発明の光学フィルム１を貼付していない導光板２の実施例であり、本発明の光学フィルム１を貼付した導光板２の実施例#2〜#7から以下の関係式に適合することを分かることができる：
2013061611.tif 000016
2013061611.tif 000017
且つ幅深さ比P/H＞2及び屈折角θt(0)＞10 度の條件の範囲内でホットスポット（蛍現象）を発生するか否かも該暗領域８の大きさの判別の根拠である。（図１６内に示す○：適合、×：不適合、△：やや適合）
【００４６】
実施例#6-1及び実施例#6からP/Hが
2013061611.tif 000018
の関係式の範囲を超えれば、ホットスポット現象を発生し、即ち、暗領域８が過度に大きい問題を発生することが分かる。また、もう１つの実施例#4からＣ’値=5である時（Ｂ=5、Ｂ=10）の条件及びＣ’値=3である時（Ｂ=5）の条件が
2013061611.tif 000019
の関係式に適合するが、
2013061611.tif 000020
の関係式の範囲に適合しなければ、該導光板２において、依然として該暗領域８が起こすホットスポットを見出すことができることが分かる。
【００４７】
言い換えれば、図１６内のデータから分かるように、該光学フィルム１を貼付した実施例#2及び実施例#7は、それぞれＣ’値=5及び3である時、そのそれぞれ三組ｂのＢ値(Ｂ=5、Ｂ=10、Ｂ=14)は、
2013061611.tif 000021
の関係式、及び
2013061611.tif 000022
の関係式の範囲に適合し、該暗領域８の面積を減少し、該ＬＥＤ側面光源３の数量を調整する目的に適合する。
【００４８】
図１７〜図２０を参照し、それは、それぞれ本発明の光学フィルムが構成するバックライトモジュールの若干の実施例の説明図である。そのうち、各光学フィルム１が構成する異なるバックライトモジュールの実施例の差異点は、以下にある： 
１．図１７は、本発明の光学フィルム１が構成するバックライトモジュール１００ａであり、該導光板２ａのうち一面がドット構造で構成される該光取得構造７ａである。
２．図１８は、本発明の光学フィルム１が構成するバックライトモジュール１００ｂであり、該導光板２ｂのうち一面がV溝により構成される該光取得構造７ｂである。
３．図１９は、本発明の光学フィルム１が構成するバックライトモジュール１００ｃであり、該導光板2cのうち一面が不規則な凹凸構造(例えば、サンドブラストプロセス)の方式で構成される該光取得構造７ｃである。
４． 図２０は、本発明の光学フィルム１が構成之バックライトモジュール１００ｄであり、該導光板２ｄのうち相互に対応する両面は、それぞれ単面にV溝(灯のストリップ方向に垂直) ７ｄ及び単面がドット又は不規則な凹凸構造２ｄである。
【００４９】
図１７〜図２０に示すように、本発明の光学フィルム１が導光板２ａ，２ｂ，２ｃ，２ｄの入光面上に貼付された後、光学フィルム１の入射面近傍側面に位置する若干のＬＥＤ側面光源３を併せた後、バックライトモジュール１００ａ, １００ｂ, １００ｃ, １００ｄを構成する。それぞれの該バックライトモジュール１００ａ，１００ｂ，１００ｃ，１００ｄは、導光板２ａ, ２ｂ, ２ｃ, ２ｄの出光面に対応する液晶パネル９４と組み立てて液晶ディスプレイを構成することができる。図１７〜図２０に示す実施例において、導光板２ａ, ２ｂ, ２ｃ,２ｄの出光面上にもう１つの光学膜９３を覆うことができ、更なる均光効果を提供し、出光の視覚品質を向上する。
【００５０】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００５１】
１００，１００ａ，１００ｂ，１００ｃ，１００ｄ  バックライトモジュール
１  光学フィルム
１１１，１１１ａ，１１１ｂ，１１１ｃ  微小構造
１２  射出面
２，２ａ，２ｂ，２ｃ，２ｄ  導光板
２１  入光面
３  側面光源
３１  光束
３１１  入射光
３１２  屈折光
７，７ａ，７ｂ，７ｃ，７ｄ  光取得構造
８  暗領域
９  バックライトモジュール
９１  導光板
９２  ＬＥＤ側面光源
９２１  入射光
９２２  屈折光
９２３  暗領域
９２４  有効領域
９３  光学膜
９４  液晶パネル
【図１】
2013061611.tif 000029
【図２】
2013061611.tif 000030
【図３】
2013061611.tif 000031
【図４】
2013061611.tif 000032
【図５】
2013061611.tif 000033
【図６】
2013061611.tif 000034
【図７】
2013061611.tif 000035
【図８】
2013061611.tif 000036
【図９】
2013061611.tif 000037
【図１０】
2013061611.tif 000038
【図１１】
2013061611.tif 000039
【図１２】
2013061611.tif 000040
【図１３】
2013061611.tif 000041
【図１４】
2013061611.tif 000042
【図１５】
2013061611.tif 000043
【図１６】
2013061611.tif 000044
【図１７】
2013061611.tif 000045
【図１８】
2013061611.tif 000046
【図１９】
2013061611.tif 000047
【図２０】
2013061611.tif 000048